(57)【要約】【課題】  ポインティングデバイスが表示部に設けられている情報処理装置を机上に載置した状態で使用する場合でも、携帯機器としての使い勝手を向上させる。【解決手段】  装置本体部３の回動軸６側の端部で、かつ、回動軸の軸方向における一端部に指示マーク８を移動するための操作を行う指示マーク移動操作部１１を、装置本体部の回動軸側の端部で、かつ、回動軸の軸方向における他端部に、表示画面上を移動された指示マークによって指示された対象を制御する制御操作部１２を、それぞれ配置し、装置本体部の下面部３ｄの回動軸側の領域１６に、回動軸側と反対側に位置する傾斜部２２ａ、２３ａを有するバッテリー２２、２３を備えた。【選択図】図３
2005322260.tif 000002
【特許請求の範囲】
【請求項１】
表示画面を有し所定の操作によって表示画面上を指示マークが移動可能とされた表示部と、所定の操作キーが設けられたキーボードを有する装置本体部とを備え、表示部がキーボードを開閉する方向へ移動されるように装置本体部に回動軸を介して回動自在に支持された情報処理装置であって、
装置本体部の回動軸側の端部で、かつ、回動軸の軸方向における一端部に、上記指示マークを移動するための操作を行う指示マーク移動操作部を配置し、
装置本体部の回動軸側の端部で、かつ、回動軸の軸方向における他端部に、表示画面上を移動された指示マークによって指示された対象を制御する制御操作部を配置し、
装置本体部の下面部の回動軸側の領域に凸部を備えた
ことを特徴とする情報処理装置。
【請求項２】
上記凸部は、バッテリーである
ことを特徴とする請求項１に記載の情報処理装置。
【請求項３】
上記凸部は、装置本体部の回動軸側と反対側に位置する傾斜部を有する
ことを特徴とする請求項１に記載の情報処理装置。
【発明の詳細な説明】
【技術分野】
【０００１】
本発明は情報処理装置に関する。詳しくは、表示画面を有する表示部がキーボードを有する装置本体部に回動自在に支持された情報処理装置についての技術分野に関する。
【背景技術】
【０００２】
複数の操作キーが配置されたキーボードを有する装置本体部と、表示画面を有する表示部とを有し、該表示部が装置本体部に回動自在に支持された情報処理装置、例えば、パーソナルコンピューターがある。
【０００３】
このような情報処理装置にあっては、任意な方向へ回転操作可能なポインターと称される操作部又は表面上を指でなぞるようにして操作可能な操作パッドと称される操作部とクリック釦（右釦と左釦）と称される操作部とによって構成されたポインティングデバイスに対する操作によって、種々の操作を実行することが可能とされている。
【０００４】
例えば、ポインターを任意の方向へ回転して表示画面上の指示マーク（マウスカーソル）を所望のアイコン上に移動し、クリック釦を押圧操作してソフトウェアの起動やメニューの表示等を行うことが可能である。
【０００５】
このようなポインティングデバイスは、装置本体部におけるキーボードの手前側に、ポインターと２つのクリック釦とが前後に並んで近接して配置されている場合が多いが、ポインティングデバイスがキーボードの手前側にある場合には、装置本体部のキーボードの手前側の部分の全体の面積が広くなって小型化を阻害する要因になったり、キーボードの操作キーに対する操作時に誤ってポインティングデバイスに触れてしまい意図しない操作を行ったりするおそれがある。
【０００６】
そこで、情報処理装置の種類によっては、装置本体部に支持された表示部の表示画面以外の部分にポインティングデバイスを配置した情報処理装置がある。
【発明の開示】
【発明が解決しようとする課題】
【０００７】
ところで、近年の情報処理装置の普及に伴い、机上に載置した状態で使用可能であるばかりでなく、携帯性に富み、手で把持した状態においても容易に使用可能な情報処理装置が望まれている。
【０００８】
ところが、従来の情報処理装置のように、ポインティングデバイスが表示部に設けられている場合には、携帯機器として使用するときには、装置本体部を片手で把持した状態でポインティングデバイスに対する操作を行わなければならず、使い勝手が極めて悪いという問題がある。
【０００９】
また、このような情報処理装置にあっては、机上に載置した状態で使用する場合にも、一方の手で表示部を支えながら、例えば、親指等によってポインティングデバイスに対する操作を行わなければならず、操作が不安定になる等の問題がある。
【００１０】
そこで、上記のような問題を回避するために、キーボードの所定の操作キー、例えば、アルファベットキーの「Ｇ」、「Ｂ」、「Ｈ」間にポインティングデバイスのポインターを配置した機種もあるが、携帯機器として両手で把持した状態で使用しようとする場合には、親指がポインティングデバイスに届かず、結局、片手で把持した状態で操作しなければならなかったり、或いは、ポインティングデバイスがキーボード中に配置されているため、誤操作を生じ易いという問題がある。
【００１１】
一方、ポインティングデバイスに対する操作においては、クリック釦を押圧操作しながらポインターや操作パッドの操作を行う場合も多く、携帯機器として使用するときにもクリック釦とポインターとを同時に操作可能として使い勝手の向上を図る必要がある。
【００１２】
そこで、本発明情報処理装置は、上記した問題点を克服し、特に、携帯機器として使用する場合の使い勝手の向上を図ることを課題とする。
【課題を解決するための手段】
【００１３】
本発明情報処理装置は、上記した課題を解決するために、回動軸を介して表示部を回動可能に支持した装置本体部の回動軸側の端部で、かつ、回動軸の軸方向における一端部に、表示部の表示画面上の指示マークを移動するための操作を行う指示マーク移動操作部を配置し、装置本体部の回動軸側の端部で、かつ、回動軸の軸方向における他端部に、表示画面上を移動された指示マークによって指示された対象を制御する制御操作部を配置し、装置本体部の下面部の回動軸側の領域に凸部を備えたものである。
【発明の効果】
【００１４】
従って、本発明情報処理装置にあっては、当該情報処理装置を両手で把持したときに指が届く位置にそれぞれ移動操作部と制御操作部とが存在する。また、凸部が取り付けられた状態で机等に載置して使用する場合には、所定の角度だけ机等に対して装置本体部が傾斜されるため、装置本体部に設けられた操作キー、指示マーク移動操作部、制御操作部等に対する操作を行い易く、操作性の向上が図られる。さらに、凸部が机に接するため、装置本体部と机等の間に隙間が形成され、当該隙間に手や指を挿入して容易に持ち上げることができ、持ち運びに便利である。
【発明を実施するための最良の形態】
【００１５】
以下に、本発明の最良の形態を添付図面に従って説明する。尚、以下に示す最良の形態は、本発明を携帯機器としても使用可能な情報処理装置（パーソナルコンピューター）に適用したものである。
【００１６】
情報処理装置１は表示部２と装置本体部３とを備えている（図１乃至図５参照）。
【００１７】
表示部２には、ＬＣＤ（Liquid Crystal Display）を有する表示画面４が設けられ、該表示画面４の周縁が枠部５として形成されている（図１及び図２参照）。
【００１８】
表示部２は装置本体部３の後端部において、左右方向に延びる回動軸（ヒンジ軸）６を介して回動自在に支持されている（図１乃至図３参照）。
【００１９】
枠部５の前面５ａには、その右端部に電源釦７が配置されている。電源釦７を操作して電源を投入すると、表示画面４上にアイコンや指示マーク（マウスカーソル）８等が表示される。
【００２０】
装置本体部３の上面部３ａにはキーボード９が設けられ、該キーボード９には所定の操作キー１０、１０、・・・が配置されている（図１及び図２参照）。装置本体部３の内部にはＣＰＵ（中央演算処理装置）等の処理手段が設けられており、キーボード９の操作キー１０、１０、・・・等に対する操作によって入力された信号についての各処理が行われる。
【００２１】
装置本体部３の上面部３ａの後端部には、その右端部に、ポインターと称される指示マーク移動操作部１１が配置され、該指示マーク移動操作部１１の操作によって指示マーク８が表示部２の表示画面４上を移動される。指示マーク移動操作部１１は任意の方向へ回転操作可能とされ、回転操作により指示マーク８を表示画面４上の所望の位置に移動することができる。尚、指示マーク移動操作部１１は、表面上を指でなぞるようにして操作可能な操作パッドと称される操作部であてもよい。
【００２２】
指示マーク移動操作部１１には、その上面に操作用の凹部１１ａが形成されている（図６参照）。凹部１１ａを形成する面は、例えば、緩やかな略球面に形成されている（図６参照）。従って、操作者が指示マーク移動操作部１１を操作しようとするときに、操作する指を凹部１１ａにあてがって操作することができ、良好な操作感覚を得られ、操作性の向上が図られる。例えば、凹部１１ａに指をあてがって指示マーク移動操作部１１を操作すると、指示マーク８がゆっくりと表示画面４上を移動され、凹部１１ａに指をあてがって指示マーク移動操作部１１を強く押すようにして操作すると、指示マーク８が速やかに表示画面４上を移動される。
【００２３】
尚、指示マーク移動操作部１１が、表面上を指でなぞるようにして操作可能な操作パッドである場合には、凹部を形成する必要はない。
【００２４】
装置本体部３の上面部３ａの後端部には、その左端部にマウスの左釦及び右釦に相当しクリック釦と称される制御操作部１２が配置され、該制御操作部１２は左クリック釦と称される第１の操作部１２ａと右クリック釦と称される第２の操作部１２ｂとによって構成されている。制御操作部１２は押圧操作されることにより所定の機能が発揮され、第１の操作部１２ａを操作すると、例えば、指示マーク８によって指示したアイコンのソフトウェアが起動され、また、第２の操作部１２ｂを操作すると、例えば、指示マーク８によって指示したアイコンに関する複数の項目を有するメニューが表示画面４に表示される。
【００２５】
装置本体部３の上面部３ａには、上記指示マーク移動操作部１１の近傍、例えば、指示マーク移動操作部１１の直ぐ左側の位置に、ジョグダイヤルと称される回転押圧操作部１３が配置されている。回転押圧操作部１３を回転操作することにより、例えば、第２の操作部１２ｂによって表示画面４に表示されたメニューの項目を任意に選択することができ、回転押圧操作部１３を押圧操作することにより、例えば、メニューの選択した項目を実行することができる。
【００２６】
装置本体部３の前面部３ｂには、吸気口１４、１４、・・・が左右に並ぶようにして形成されている（図５参照）。装置本体部３の後面部３ｃには、排気口１５、１５、・・・が左右に並ぶようにして形成されている（図４参照）。
【００２７】
従って、情報処理装置１の使用時には、外気が吸気口１４、１４、・・・から装置本体部３の内部に取り込まれて該装置本体部３の内部が冷却され、冷却に使用された外気が排気口１５、１５、・・・から外部へ放出される。
【００２８】
情報処理装置１は携帯用の機器としても使用され、携帯用の機器として使用される場合には、操作者は装置本体部３の左右両側縁を両手で把持した状態で操作する（図１参照）。
【００２９】
従って、上記のように、排気口１５、１５、・・・を、装置本体部３の後面部３ｃに形成することにより、携帯用の機器として使用する際に外気が操作者の手や指に向けて放出されることがなく、情報処理装置１の良好な操作性を確保することができる。また、吸気口１４、１４、・・・と排気口１５、１５、・・・とを、それぞれ装置本体部３の前面部３ｂと後面部３ｃとに形成することにより、携帯用の機器として使用する際に吸気口１４、１４、・・・又は排気口１５、１５、・・・を手で覆ってしまうことがなく、適正な冷却機能を確保することができる。さらに、排気口１５、１５、・・・が装置本体部３の前面部３ｂに形成されていないため、外気が操作者に向けて放出されることがなく、情報処理装置１の一層の良好な操作性を確保することができる。
【００３０】
情報処理装置１を携帯用の機器として使用する場合には、上記したように、操作者は装置本体部３の左右両側縁を両手で把持した状態で操作する（図１参照）。情報処理装置１には、装置本体部３の上面部３ａの後端部における右端部に、指示マーク移動操作部１１が配置され、また、装置本体部３の上面部３ａの後端部における左端部に制御操作部１２が配置されている。
【００３１】
従って、操作者は、装置本体部３を両手で把持した状態のまま、指示マーク移動操作部１１及び制御操作部１２を、例えば、それぞれ左右の親指１００、２００によって操作することができる（図１参照）。このように、両手で装置本体部３を把持した状態で指示マーク移動操作部１１及び制御操作部１２を操作することができるため、情報処理装置１を携帯機器として使用する際の使い勝手の向上を図ることができる。
【００３２】
また、指示マーク移動操作部１１と制御操作部１２とが装置本体部３の上面部３ａの左右両端部にそれぞれ配置されているため、指示マーク移動操作部１１と制御操作部１２とを同時に又は連続して操作することができる。
【００３３】
さらに、指示マーク移動操作部１１及び制御操作部１２がキーボード９から離れた位置に配置されているため、誤ってキーボード９の操作キー１０、１０、・・・を操作してしまうようなことがなく、誤操作を防止することができる。
【００３４】
加えて、制御操作部１２が第１の操作部１２ａと第２の操作部１２ｂとによって構成されているため、種々の操作を行うことができ、使い勝手の向上を図ることができる。
【００３５】
情報処理装置１にあっては、装置本体部３の上面部３ａの指示マーク移動操作部１１の近傍の位置に、回転押圧操作部１３が配置されている。従って、上記のように、情報処理装置１を携帯機器として使用した場合でも、両手で装置本体部３を把持したまま回転押圧操作部１３を使用することができ、使い勝手の向上を図ることができる。
【００３６】
特に、制御操作部１２の操作に伴って使用することが多い回転押圧操作部１３を、制御操作部１２が配置された側と反対側の端部に配置することにより、制御操作部１２と回転押圧操作部１３とを異なる手の指で操作することができ、良好な操作性が確保される。
【００３７】
尚、回転押圧操作部１３を制御操作部１２の近傍、例えば、制御操作部１２の直ぐ右側の位置に配置してもよい。
【００３８】
装置本体部３の下面部３ｄはバッテリー取付部１６として形成されている（図５及び図７参照）。バッテリー取付部１６は、後述する小型のバッテリーが取り付けられる第１の領域１６ａと、大型のバッテリーが取り付けられる第２の領域１６ｂとを有し、第１の領域１６ａが下面部３ｄの後半部とされ、第２の領域１６ｂが下面部３ｄの略全面とされている（図７参照）。
【００３９】
バッテリー取付部１６には、合計７つの係止凹部１７ａ、１７ａ、１７ｂ、１７ｂ、１７ｃ、１７ｃ、１７ｃが形成されている。
【００４０】
係止凹部１７ａ、１７ａは、バッテリー取付部１６の後端部における左右両端部にそれぞれ形成されている。係止凹部１７ｂ、１７ｂは、バッテリー取付部１６の左右方向における略中央部において、前後方向における中央部より稍後側の位置に、左右に離間して形成されている。係止凹部１７ｃ、１７ｃ、１７ｃは、バッテリー取付部１６の前端部において、左右両端部と左右方向における略中央部とに、それぞれ形成されている。
【００４１】
係止凹部１７ａ、１７ａと係止凹部１７ｂ、１７ｂとは、小型のバッテリーを取り付ける際に使用され、係止凹部１７ａ、１７ａと係止凹部１７ｃ、１７ｃ、１７ｃとは、大型のバッテリーを取り付ける際に使用される。従って、係止凹部１７ａ、１７ａは、小型のバッテリーと大型のバッテリーについての共用の係止凹部である。
【００４２】
このように共用の係止凹部１７ａ、１７ａを形成することにより、装置本体部３の製造コストを引き下げることが可能である。
【００４３】
バッテリー取付部１６の各係止凹部１７ａ、１７ｂ、１７ｃが形成された部分には、それぞれその開口部の一部を覆うようにして側方へ突出された係止部１８、１８、・・・が設けられている（図８参照）。
【００４４】
バッテリー取付部１６には、係止凹部１７ｂ、１７ｂ間に被ロック穴１９が形成され、左右方向における中央部に位置された係止凹部１７ｃの近傍に被ロック穴２０が形成されている（図５及び図７参照）。
【００４５】
装置本体部３には複数の接続端子を有するコネクター結合部２１が設けられている（図５及び図７参照）。コネクター結合部２１は、装置本体部３の後端部における左端部に位置され、後面部３ｃから下面部３ｄにかけての部分に設けられている。
【００４６】
後側に位置する被ロック穴１９は小型のバッテリーを取り付ける際に使用され、前側に位置する被ロック穴２０は大型のバッテリーを取り付ける際に使用される。
【００４７】
装置本体部３のバッテリー取付部１６には、小型のバッテリー（凸部）２２又は大型のバッテリー（凸部）２３が取り付けられる（図７参照）。
【００４８】
小型のバッテリー２２は、横方向の長さが縦方向の長さに比してかなり長くされた扁平な形状に形成され、前側に位置する傾斜部２２ａを有している。
【００４９】
バッテリー２２の傾斜部２２ａの一端縁に連続する下壁部２２ｂには、左右に離間して載置用パッド２４、２４が設けられている。載置用パッド２４、２４は、例えば、ゴム材料によって形成されている。
【００５０】
バッテリー２２の傾斜部２２ａの他端縁に連続する上壁部２２ｃには、４つの係止突部２５、２５、・・・が上方へ突出して設けられている（図９参照）。
【００５１】
係止突部２５、２５、・・・は、上壁部２２ｃの後端部における左右両端部と、上壁部２２ｃの左右方向における略中央部とに左右に離間してそれぞれ設けられている。
【００５２】
係止突部２５は、上壁部２２ｃから立ち上げられた基部２５ａ、２５ｂと該基部２５ａ、２５ｂを連結するようにして設けられた係止片部２５ｃとから成る（図１０参照）。基部２５ａ、２５ｂは互いに直交するように設けられている。係止片部２５ｃは、基部２５ａ、２５ｂの上縁を連結するように設けられ、バッテリー２２の上壁部２２ｃと平行に位置されている。
【００５３】
係止突部２５の係止片部２５ｃの前縁は、下方へ行くに従って後方へ変位するように傾斜されて案内縁２５ｄとして形成されている（図１０及び図１１参照）。
【００５４】
バッテリー２２の上壁部２２ｃには、前側に位置する係止突部２５、２５間に、挿通孔２６が形成されている。
【００５５】
係止突部２５、２５、・・・は、例えば、前側に配置された２つのものが、前後にずれた状態で設けられている。
【００５６】
一方、係止突部２５、２５、・・・に対応する位置に形成された係止凹部１７ａ、１７ａ、１７ｂ、１７ｂ、１７ｃ、１７ｃ、１７ｃ、例えば、バッテリー２２の前側に配置された２つの係止突部２５、２５に対応する係止凹部１７ｂ、１７ｂも上記２つの係合突部２５、２５に対応して前後にずれた状態で形成されている。
【００５７】
この２つの係止突部２５、２５の同じ部位間の前後方向における距離Ｌ１は、係止凹部１７ｂ、１７ｂに対応して設けられた係止部１８、１８の同じ部位間の前後方向における距離Ｌ２と略同じにされている（図１１参照）。
【００５８】
尚、情報処理装置１にあっては、上記した距離Ｌ１と距離Ｌ２が略同じにされているという関係は、上記２つの係止突部２５、２５と係止部１８、１８に限らず、バッテリー２２の全ての前後関係の位置にある係止突部２５、２５、・・・とこれに対応する装置本体部３の全ての係止部１８、１８、・・・について同様とされている。また、後述する大型のバッテリーに設けられた全ての前後関係の位置にある係合突部とこれに対応する装置本体部３の全ての係止部１８、１８、・・・についても同様である。
【００５９】
バッテリー２２の上壁部２２ｃの後端部には、その左端部に複数の接続端子を有するコネクター部２７が設けられている。
【００６０】
大型のバッテリー２３は、バッテリー２２と横方向の長さが略同じであり、縦方向の長さがバッテリー２２に比してかなり長くされた扁平な形状に形成され、前側に位置する傾斜部２３ａを有している（図７及び図１２参照）。
【００６１】
バッテリー２３の傾斜部２３ａの一端縁に連続する下壁部２３ｂには、その後端寄りの位置に、左右に離間して載置用パッド２８、２８が設けられている。載置用パッド２８、２８は、例えば、ゴム材料によって形成されている。
【００６２】
バッテリー２３の傾斜部２３ａの他端縁に連続する上壁部２３ｃ  には、５つの係止突部２９、２９、・・・が上方へ突出して設けられている（図１２参照）。
【００６３】
係止突部２９、２９、・・・は、上壁部２３ｃの後端部における左右両端部と、上壁部２３ｃの前端部における左右両端部と、上壁部２３ｃの前端部における左右方向における略中央部とにそれぞれ設けられている。
【００６４】
係止突部２９は、バッテリー２２に設けられた係止突部２５、２５、・・・と同様の形状に形成され、上壁部２２ｃから立ち上げられた基部２９ａ、２９ｂと該基部２９ａ、２９ｂを連結するようにして設けられた係止片部２９ｃとから成る（図１０参照）。
【００６５】
係止突部２９の係止片部２９ｃの前縁は、下方へ行くに従って後方へ変位するように傾斜されて案内縁２９ｄとして形成されている。
【００６６】
バッテリー２３の上壁部２３ｃには、前側の中央に位置する係止突部２９の近傍の位置に、挿通孔３０が形成されている。
【００６７】
バッテリー２３の上壁部２３ｃの後端部には、その左端部に複数の接続端子を有するコネクター部３１が設けられている。
【００６８】
バッテリー２２及びバッテリー２３の内部には、それぞれロック機構３２が配置されている（図１３R>３参照）。
【００６９】
ロック機構３２はロックレバー３３と付勢バネ３４と支持軸３５とによって構成されている。
【００７０】
ロックレバー３３は、左右方向に長い主部３６と、該主部３６の右端部から略上方へ突出されたロック突部３７と、主部３６の左端部から略下方へ突出された被押圧突部３８とが一体に形成されて成る。
【００７１】
ロックレバー３３は主部３６が支持軸３５を介して回動自在に支持されている。支持軸３５は、例えば、その両端部が図示しない取付部にそれぞれ固定されている。支持軸３５は、その軸方向が前後方向となるように配置され、主部３６の長手方向に直交する。従って、ロックレバー３３は、ロック突部３７と被押圧突部３８が略上下方向へ移動するように回動される。
【００７２】
付勢バネ３４は支持軸３５に支持されている。付勢バネ３４は捩じりコイルバネであり、コイル部３４ａと該コイル部３４ａからそれぞれ異なる方向へ突出された２つの弾接部３４ｂ、３４ｃとから成る。付勢バネ３４は、コイル部３４ａが支持軸３５に支持され、一方の弾接部３４ｂがバッテリー２２の上壁部２２ｃ又はバッテリー２３の上壁部２３ｃに下方から弾接され、他方の弾接部３４ｃが主部３６の下面に下方から弾接されている。従って、ロックレバー３３は、付勢バネ３４によって、ロック突部３７が略上方へ移動する方向へ付勢されている。
【００７３】
ロックレバー３３は、ロック突部３７がバッテリー２２の挿通孔２６又はバッテリー２３の挿通孔３０に対応して位置され、ロックレバー３３に外力が付与されていない状態においては、付勢バネ３４の付勢力によって、ロック突部３７が挿通孔２６又は挿通孔３０から上方へ突出されている（図９、図１２及び図１４参照）。
【００７４】
ロックレバー３３の近傍には、ロック解除レバー３９が左右方向へスライド自在に支持されている。ロック解除レバー３９はバッテリー２２の下壁部２２ｂ又はバッテリー２３の下壁部２３ｂに設けられた図示しないガイド部に案内されて左右方向へ移動可能とされている。
【００７５】
ロック解除レバー３９は、左右方向に長い被支持部４０と、該被支持部４０の右端部から上方へ突出された摘子配置部４１と、該摘子配置部４１の上端部から右方へ突出された連結部４２と、該連結部４２の右端部から下方へ突出された外壁部４３とを有している。
【００７６】
被支持部４０の左端部には、左方へ行くに従って下方へ変位するように傾斜された作用面４０ａが形成されている。
【００７７】
摘子配置部４１の一方の側面には操作摘子４４が設けられている。操作摘子４４は、バッテリー２２の傾斜部２２ａに形成された図示しない配置孔又はバッテリー２３の傾斜部２３ａに形成された図示しない配置孔から外部へ突出され、左右方向へ操作可能な状態とされている（図７参照）。
【００７８】
バッテリー２２の傾斜部２２ａとバッテリー２３の傾斜部２３ａとには、それぞれホールド摘子２２ｄ、２３ｄが設けられている（図７参照）。ホールド摘子２２ｄ、２３ｄが一方にスライド操作されるとロック解除レバー３９がスライド不能な状態に保持され、他方にスライド操作されるとロック解除レバー３９がスライド可能な状態とされる。
【００７９】
外壁部４３には左方へ突出されたバネ支持軸４５が設けられている。バネ支持軸４５は先端部が他の部分より太く形成され、当該先端部が規制部４５ａとして形成され、他の部分がバネ支持部４５ｂとして形成されている。
【００８０】
バッテリー２２の下壁部２２ｂの内面とバッテリー２３の下壁部２３ｂの内面とには、それぞれ上方へ突出された支持壁部２２ｅと支持壁部２３ｅとが設けられている（図１４参照）。
【００８１】
支持壁部２２ｅ、２３ｅには、ロック解除レバー３９のバネ支持軸４５が右方から挿入されて支持され、規制部４５ａによってバネ支持部４５ｂの支持壁部２２ｅ、２３ｅからの脱落が防止される。支持壁部２２ｅ、２３ｅにバネ支持軸４５のバネ支持部４５ｂが支持された状態において、バネ支持軸４５に圧縮コイルバネ４６が支持されている。従って、圧縮コイルバネ４６によりロック解除レバー３９に右方への付勢力が付与されている。
【００８２】
操作摘子４４が操作される前の状態においては、圧縮コイルバネ４６によって右方へ付勢され移動範囲における右方側の移動端、即ち、ロック解除を行わない非解除位置にあるロック解除レバー３９は、作用面４０ａがロックレバー３３の被押圧突部３８の右方に位置されている（図１４参照）。従って、ロック解除レバー３９が非解除位置にある状態においては、ロックレバー３３が、その回動範囲において回動されたときに、被押圧突部３８がロック解除レバー３９には接触しないようにされている。即ち、ロック解除レバー３９が非解除位置にあるときには、ロックレバー３３の回動軌跡上にロック解除レバー３９が位置されないようにされている。
【００８３】
以下に、バッテリー２２の装置本体部３に対する取付け時及び取外し時の、各部の動作について説明する（図１５乃至図１８参照）。尚、図１５乃至図１８R>８においては、ロック機構３２の配置された向きと装置本体部３の向きとの関係が実際とは異なるが、説明を容易にするためロックレバー３３の長手方向を前後方向として説明する。
【００８４】
バッテリー２２は装置本体部３のバッテリー取付部１６の第１の領域１６ａに取り付けられる。
【００８５】
先ず、バッテリー２２の上壁部２２ｃに設けられた係止突部２５、２５、・・・を、それぞれ装置本体部３の下面部３ｄに形成された係止凹部１７ａ、１７ａ、１７ｂ、１７ｂに下方から挿入する（図１５参照）。このとき、バッテリー２２の挿通孔２６は装置本体部３の被ロック穴１９より稍後方にずれて位置されている。従って、挿通孔２６から上方へ突出されていたロックレバー３３のロック突部３７が、装置本体部３の下面部３ｄによって下方へ押圧され、ロックレバー３３が付勢バネ３４の付勢力に抗して回動され、ロック突部３７がバッテリー２２の内部に位置される（図１５参照）。
【００８６】
上記のように、係止突部２５、２５、・・・を、それぞれ係止凹部１７ａ、１７ａ、１７ｂ、１７ｂに下方から挿入しようとするときに、バッテリー２２が不適正な状態、例えば、装置本体部３に対して傾斜された状態となってしまうことがある。このとき、例えば、図１１に示すように、１つの係止突部２５のみが係止凹部１７ｂに挿入されることがあるが、上記のように係止突部２５、２５間の距離Ｌ１が係止部１８、１８間の距離Ｌ２と略同じにされているため、バッテリー２２を前方にスライドさせようとしても後側の係止突部２５が係止部１８に干渉しバッテリー２２の前方へのスライドが阻止される。従って、操作者は係合突部２５、２５、・・・の誤挿入であることを判別することができる。
【００８７】
次に、バッテリー２２を装置本体部３に対して前方へスライドさせる（図１６参照）。このとき係止突部２５、２５、・・・の係止片部２５ｃ、２５ｃ、・・・の案内縁２９ｄ、２９ｄ、・・・が、それぞれ係止部１８、１８、・・・の後縁に摺接され、係止片部２５ｃ、２５ｃ、・・・が装置本体部３の係止部１８、１８、・・・の上側に挿入されていく。
【００８８】
係止片部２５ｃ、２５ｃ、・・・が係止部１８、１８、・・・の上側に挿入されると、係止片部２５ｃ、２５ｃ、・・・が係止部１８、１８、・・・に面接触した状態で係止される。このとき、バッテリー２２の挿通孔２６は装置本体部３の被ロック穴１９の真下に位置される。従って、ロックレバー３３は付勢バネ３４の付勢力によって回動され、ロック突部３７が挿通孔２６から再び上方へ突出されて被ロック穴１９に挿入されて嵌合される（図１６参照）。ロック突部３７が被ロック穴１９に挿入されて嵌合されることにより、バッテリー２２が装置本体部３にロックされた状態で取り付けられる。
【００８９】
バッテリー２２は以上のようにして装置本体部３にロックされた状態で取り付けられる。従って、バッテリー２２の装置本体部３へのロック状態での取付が、係止片部２５ｃ、２５ｃ、・・・が係止部１８、１８、・・・にそれぞれ係合されると共に付勢バネ３４に付勢されたロックレバー３３のロック突部３７が被ロック穴１９に挿入されて嵌合されるだけで行われるため、取付及びロックを行うための機構を簡素にすることができると共に簡単な動作により容易にバッテリー２２の装置本体部３への取付及びロックを行うことができる。
【００９０】
また、ロックレバー３３はロック突部３７が被ロック穴１９に挿入されるときに回動されるが、上記したように、ロックレバー３３はロック解除レバー３９に接触しない。
【００９１】
従って、ロックレバー３３はロック解除レバー３９からの不必要な外力を受けることがなく、確実に回動されてロック突部３７を被ロック穴１９に挿入することができる。
【００９２】
さらに、ロックレバー３３のロック動作時に、ロック解除レバー３９がスライドされないため、操作摘子４４がスライドしてしまうと言う不必要な動作が為されず、外観上良好である。
【００９３】
上記のようにバッテリー２２が装置本体部３に対してスライドされてロックされるときには、同時に、バッテリー２２のコネクター部２７が装置本体部３に設けられたコネクター結合部２１に結合される。
【００９４】
従って、バッテリー２２を装置本体部３に対して前方へスライドさせるだけで、バッテリー２２が装置本体部３にロックされて機械的に結合されると共にコネクター部２７がコネクター結合部２１に結合されて装置本体部３とバッテリー２２との間の電気的な接続が為されるため、機械的な結合と電気的な接続とを各別の動作で行う必要がなく、バッテリー２２の装置本体部３への取付作業における作業性の向上を図ることができる。
【００９５】
バッテリー２２が装置本体部３にロックされた状態において、操作摘子４４を操作すると以下のようにロックが解除される。
【００９６】
操作摘子４４をスライド操作すると、当該操作に伴ってロック解除レバー３９がロックレバー３３の被押圧突部３８に近付く方向へ移動され、ロックレバー３３の被押圧突部３８が作用面４０ａによって左方へ押圧される（図１７参照）。被押圧突部３８が作用面４０ａによって押圧されると、ロックレバー３３は付勢バネ３４の付勢力に抗してロック突部３７が下方へ移動される方向へ回動され、バッテリー２２の装置本体部３に対するロック状態が解除される。
【００９７】
ロックが解除された状態において、バッテリー２２を装置本体部３に対して後方へスライドすると、バッテリー２２の係止突部２５、２５の係止片部２５ｃ、２５ｃ、・・・と装置本体部３の係止部１８、１８、・・・との係合が解除される（図１８参照）。係止片部２５ｃ、２５ｃ、・・・と係止部１８、１８、・・・との係合が解除されたときに、装置本体部３とバッテリー２２とを上下に離間することにより、バッテリー２２を装置本体部３から取り外すことができる。
【００９８】
以上に記載したように、ロックレバー３３はロック突部３７が略上下方向、即ち、装置本体部３に対して離接する方向へ移動されることによりロック又はロックの解除が為される。従って、バッテリー２２又は装置本体部３に、両者が取り外される方向である前方又は後方への外力が付与されても、この取り外される方向とロック突部３７の移動方向とが略直交する方向であるため、バッテリー２２の装置本体部３に対するロックが容易に解除されてしまうようなことがない。
【００９９】
バッテリー２２が装置本体部３に取り付けられた状態において、情報処理装置１を据置型の機器として使用する場合には、バッテリー２２と装置本体部３の前端部とが机３００等に接した状態で載置される（図３R>３参照）。このときバッテリー２２の下壁部２２ｂに設けられた載置用パッド２４、２４が机３００等に接している。
【０１００】
従って、バッテリー２２に載置用パッド２４、２４を設けたことにより、情報処理装置１を据置型の機器として使用する際に、情報処理装置１を安定した状態に保持することができる。
【０１０１】
また、バッテリー２２が取り付けられた状態で机３００等に載置して使用する場合には、所定の角度θだけ机３００等に対して装置本体部３が傾斜されるため（図３参照）、装置本体部３に設けられた操作キー１０、１０、・・・、指示マーク移動操作部１１、制御操作部１２、回転押圧操作部１３等に対する操作を行い易く、操作性の向上が図られる。
【０１０２】
さらに、バッテリー２２が机３００等に接するため、装置本体部３と机３００等の間に隙間４００が形成され、当該隙間４００に手や指を挿入して容易に持ち上げることができ、持ち運びに便利である。
【０１０３】
情報処理装置１を使用する際には、表示部２を装置本体部３に対して任意の角度開放する（図３参照）。このとき情報処理装置１にあっては、表示部２が装置本体部３に対して所定の角度範囲にある状態において、情報処理装置１の重心が以下のようにバッテリー２２の下端に位置するようにされている。
【０１０４】
表示部２の装置本体部３に対する角度がα、例えば、３０°である場合には、バッテリー２２の載置用パッド２４、２４の前端部分Ｐに重心が位置するようにされている（図３参照）。また、表示部２の装置本体部３に対する角度がβ、例えば、６０°である場合には、バッテリー２２の傾斜部２２ａと下壁部２２ｂとの境目部分Ｑに重心が位置するようにされている（図３参照）。従って、表示部２の装置本体部３に対する角度が３０°以上６０°以内の範囲においては、重心が点Ｐと点Ｑとの間に位置される。
【０１０５】
このように表示部２が装置本体部３に対して所定の角度範囲にある状態において、情報処理装置１の重心がバッテリー２２の下端に位置するため、情報処理装置１を据置型の機器として使用する場合及び携帯用の機器として使用する場合の何れの場合においても、安定した使用状態を確保することができる。
【０１０６】
バッテリー２３の装置本体部３に対する取付け時及び取外し時の各部の動作は、上記したバッテリー２２の場合と比較して、装置本体部３の係止凹部１７ａ、１７ａ、１７ｃ、１７ｃ、１７ｃにバッテリー２３の係止突部２９、２９、・・・が係止されること及びバッテリー２３に配置されたロックレバー３３のロック突部３７が装置本体部３の前側の被ロック穴２０に嵌合されることのみが相違するため、省略する。
【０１０７】
バッテリー２３はバッテリー２２よりも蓄電容量が大きいため、情報処理装置１を長時間使用する際に適している。また、バッテリー２３が取り付けられた状態において情報処理装置１を据置型の機器として使用した場合には、載置用パッド２８、２８が机３００等と接した状態とされる。
【０１０８】
一方、バッテリー２２を装置本体部３に取り付けて使用する際には、情報処理装置１が軽量となるため、情報処理装置１の携帯用の機器としての使用に適している。
【０１０９】
以上に記載した通り、情報処理装置１にあっては、係止突部２５、２５、・・・又は係止突部２９、２９、・・・と係止部１８、１８、・・・とを形成すると共にバッテリー２２又はバッテリー２３にロック機構３２を設けて、装置本体部３にバッテリー２２又はバッテリー２３をロック状態で取り付けるようにしている。
【０１１０】
従って、装置本体部３へのバッテリー２２又はバッテリー２３の取付作業が容易であり、また、装置本体部３にロック機構が配置されないため装置本体部３の小型化を図ることができる。
【０１１１】
また、ロック機構３２は、ロックレバー３３と付勢バネ３４と支持軸３５とによって簡素な構成とされているため、その分、部品点数が少なくロックレバー３２を配置するためのスペースも小さくて済み、バッテリー２２又はバッテリー２３が取り付けられた場合の情報処理装置１全体の小型化も図ることができる。
【０１１２】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【０１１３】
【図１】図２乃至図１８と共に本発明の最良の形態を示すものであり、本図は表示部を開いた状態で示す情報処理装置の斜視図である。
【図２】表示部を開いた状態で示す情報処理装置の平面図である。
【図３】表示部を開いた状態で示す情報処理装置の側面図である。
【図４】表示部を開いた状態で示す情報処理装置の背面図である。
【図５】表示部を閉じた状態で底面側を示す情報処理装置の斜視図である。
【図６】指示マーク移動操作部の拡大縦断面図である。
【図７】バッテリーを分離して示す情報処理装置の斜視図である。
【図８】装置本体部に形成された係止凹部を示す拡大斜視図である。
【図９】小型のバッテリーを示す斜視図である。
【図１０】バッテリーに設けられた係止突部を示す斜視図である。
【図１１】係止突部間の寸法を説明するための概念図である。
【図１２】大型のバッテリーを示す斜視図である。
【図１３】ロック機構の拡大斜視図である。
【図１４】ロック機構及びロック解除レバーを示す拡大図である。
【図１５】図１６乃至図１８と共にロック機構等の動作を示すものであり、本図は係止凹部に係止突部が挿入された状態を一部を断面にして示す拡大図である。
【図１６】バッテリーが装置本体部にロックされて取り付けられた状態を一部を断面にして示す拡大図である。
【図１７】ロック解除レバーが操作されてバッテリーのロックが解除された状態を一部を断面にして示す拡大図である。
【図１８】係止突部と係止部との係止状態が解除された状態を一部を断面にして示す拡大図である。
【符号の説明】
【０１１４】
１…情報処理装置、２…表示部、３…装置本体部、３ｄ…下面部、４…表示画面、６…回動軸、８…指示マーク、９…キーボード、１０…操作キー、１１…指示マーク移動操作部、１２…制御操作部、１６…領域（バッテリーの取付部）、２２…バッテリー（凸部）、２３…バッテリー（凸部）、２２ａ…傾斜部、２３ａ…傾斜部
【図１】
2005322260.tif 000003
【図２】
2005322260.tif 000004
【図３】
2005322260.tif 000005
【図４】
2005322260.tif 000006
【図５】
2005322260.tif 000007
【図６】
2005322260.tif 000008
【図７】
2005322260.tif 000009
【図８】
2005322260.tif 000010
【図９】
2005322260.tif 000011
【図１０】
2005322260.tif 000012
【図１１】
2005322260.tif 000013
【図１２】
2005322260.tif 000014
【図１３】
2005322260.tif 000015
【図１４】
2005322260.tif 000016
【図１５】
2005322260.tif 000017
【図１６】
2005322260.tif 000018
【図１７】
2005322260.tif 000019
【図１８】
2005322260.tif 000020